(57)【要約】      （修正有）【課題】乳房間溝や高いバストラインを自然なシルエットで形成でき、ストラップおよびバックを省略することによって背中が大きく開いた服を着る際にも着用できると共に、軽量で長時間装着しても補整したバストのシルエットを自然な形で維持することが可能なブラジャーを提供する。【解決手段】樹脂発泡材料を乳房の形に対応する略椀状に成形した左右一対のカップ１２と、前記カップ１２の内表面に設けられた粘着材層と、前記カップ１２の内側部１２ａ同士を互いに連結する連結部材１６とを備えるブラジャー１０であって、前記カップ１２の下側湾曲縁１２ｂ側の内部奥に、円弧状のワイヤー１８が前記下側湾曲縁１２ｂの形状に沿うように固着されていることを特徴とする。【選択図】図１
2011157669.tif 000002
【特許請求の範囲】
【請求項１】
樹脂発泡材料を乳房の形に対応する略椀状に成形した左右一対のカップと、前記カップの内表面に設けられた粘着材層と、前記カップの内側部同士を互いに連結する連結部材とを備えるブラジャーであって、
前記カップの下側湾曲縁側の内部奥に、円弧状のワイヤーが前記下側湾曲縁の形状に沿うように固着されていることを特徴とするブラジャー。
【発明の詳細な説明】
【技術分野】
【０００１】
本発明は、ストラップおよびバックを省略でき、乳房間溝や高いバストラインを得ることができるブラジャーに関する。
【背景技術】
【０００２】
自身のバストを大きく且つ美しく見せたいという女性の願いを叶えるべく、乳房間溝や高いバストラインを形成できる様々なタイプのブラジャーが提案されている。
【０００３】
このような技術の一つとして、略椀状に成形され且つその内表面に粘着材層が設けられたカップを乳房に貼り付けると共に、該カップの内側間を連結部品で連結するブラジャーが知られている（例えば、特許文献１参照）。
【０００４】
かかる技術によれば、乳房間溝や高いバストラインを自然なシルエットで形成できると共に、ストラップおよびバックを省略できるため、背中が大きく開いた服を着る際にも着用することができる。
【先行技術文献】
【特許文献】
【０００５】
【特許文献１】特開２００４−３１０２号公報
【発明の概要】
【発明が解決しようとする課題】
【０００６】
しかしながら、上述のようなストラップおよびバックがないブラジャーでは、軽量化を図るべく、カップの基材としてウレタンフォームなどの樹脂発泡材料を用いた場合、カップのクッション性や柔軟性が高くなる結果、カップの自然な形状を維持しながら強い力でバストを補整するのが困難になる(換言すれば、強い力でバストを補整した場合、カップの形が不自然に変形し、乳房間溝や高いバストラインを自然なシルエットで形成できなくなる)と共に、仮に一旦自然なシルエットでバストを補整できたとしても当該ブラジャーを長時間装着していると次第に補整効果が弱くなって来ると云った問題が生じ得る。
【０００７】
それゆえに、本発明の主たる課題は、乳房間溝や高いバストラインを自然なシルエットで形成でき、ストラップおよびバックを省略することによって背中が大きく開いた服を着る際にも着用できると共に、軽量で長時間装着しても補整したバストのシルエットを自然な形で維持することが可能なブラジャーを提供することである。
【課題を解決するための手段】
【０００８】
「請求項１」に記載した発明は、
（ａ）樹脂発泡材料を乳房の形に対応する略椀状に成形した左右一対のカップ１２と、前記カップ１２の内表面に設けられた粘着材層１４と、前記カップ１２の内側部１２ａ同士を互いに連結する連結部材１６とを備えるブラジャー１０であって、
（ｂ）前記カップ１２の下側湾曲縁１２ｂ側の内部奥に、円弧状のワイヤー１８が前記下側湾曲縁１２ｂの形状に沿うように固着されていることを特徴とする
（ｃ）ブラジャー１０、である。
【０００９】
この発明では、カップ１２の下側湾曲縁１２ｂ側の内部奥に、円弧状のワイヤー１８が固着されているので、樹脂発泡材料からなり軽量でクッション性や柔軟性が高いカップ１２自体の形態保持力を向上させる事ができると共に、ブラジャー１０装着によるバストの補整効果をより一層向上させることができ、自然なシルエットで形成した乳房間溝や高いバストラインを長時間維持することができるようになる。
【００１０】
ここで、ストラップやバックを有し、カップの下側湾曲縁の直上にワイヤーが取着された従来のワイヤー付きのブラジャーでは、これを装着した際、ワイヤーが乳房の下輪郭(すなわち乳房とボディとの境界)である所謂バージスラインに配置されるようになるが、本発明のブラジャー１０では、ワイヤー１８がカップ１２の下側湾曲縁１２ｂ側の内部奥に固着されているので、ブラジャー１０を装着した際に、ワイヤー１８がバージスラインよりも乳房側、すなわち乳房下側面に配置されて乳房の下部を直接支持するようになる。このため、ワイヤー１８による乳房の補整力を乳房にダイレクトに作用させることができ、上述したようにブラジャー１０装着によるバストの補整効果をより一層向上させることができる。
【発明の効果】
【００１１】
本発明によれば、乳房間溝や高いバストラインを自然なシルエットで形成でき、ストラップおよびバックを省略することによって背中が大きく開いた服を着る際にも着用できると共に、軽量で長時間装着しても補整したバストのシルエットを自然な形で維持することが可能なブラジャーを提供することができる。
【図面の簡単な説明】
【００１２】
【図１】本発明の一実施例のブラジャーの正面図である。
【図２】図１におけるＩ−Ｉ断面図で、破線円内はその要部拡大図である。
【発明を実施するための形態】
【００１３】
以下、本発明を図面に従って詳述する。図１は、本発明の一実施例のブラジャー１０を示す正面図であり、図２は、図１におけるＩ−Ｉ断面図である。このように本発明のブラジャー１０は、大略、左右一対のカップ１２，粘着材層１４，連結部材１６およびワイヤー１８で構成されている。
【００１４】
カップ１２は、左右のバストを包み込むものであり、ウレタンフォームやポリエチレンフォームなどの樹脂発泡材料からなり、乳房の形に添うように略椀状に成形された基材２０(図２に示す例の場合には、表裏方向に５枚の基材２０ａ〜２０ｆが積層して形成されている)を有する。この基材２０の表裏両面には、ポリエステル繊維やポリアミド(ナイロン)繊維などの熱可塑性繊維を緯編したメリヤス生地等からなる布帛２２が取着されると共に、これらの端縁部が熱融着により一体化されている。このように樹脂発泡材料からなる基材２０の表裏両面を布帛２２で被覆することによって、カップ１２の表面強度や保形性の向上が図られている。
【００１５】
なお、基材２０及び布帛２２の端縁部は上述のように熱融着で一体化したものに限定されるものではなく、これらの端縁部を二つ折りにしたバイアステープ(図示せず)で包み、その上からこれらを一体的に縫着するようにしてもよい。
【００１６】
また、本実施例では、図２に示すように、表裏方向にて５枚積層された基材２０ａ〜２０ｆのうち、内表面(裏面)側の基材２０ａとこれに隣接する基材２０ｂとの間に４フッ化エチレン樹脂(未焼成)などからなるフィルム２４が介装されている。このようなフィルム２４を介装することで、後述する粘着材層１４を形成する際に粘着材がカップ１２の内部奥まで浸透してしまうのを防止することができる。なお、基材２０を構成する樹脂発泡材料が独立気泡型のものである場合等、基材２０に接着材(樹脂)が染み込み難い場合には、このようなフィルム２４を省略するようにしてもよい。
【００１７】
粘着材層１４は、バストの所定の位置にカップ１２を貼着するためのものであり、カップ１２の内表面に粘着材を塗設することによって形成される。この粘着材層１４を構成する接着材としては、使用者の肌への着脱が容易であり、汗や水などによっても粘着性が衰えることなく、剥離後の再粘着性に優れた(つまり繰返しの使用が可能な)シリコーン粘着材(Ｐｒｅｓｓｕｒｅ  Ｓｅｎｓｉｔｉｖｅ  Ａｄｈｅｓｉｖｅ，ＰＳＡ；感圧性粘着剤)が好適である。
【００１８】
連結部材１６は、各カップ１２を使用者のバストに貼着した後、互いに対向する両カップ１２の内側部１２ａ同士を着脱自在に連結するためのものであり、一方(図１においては左側)のカップ１２の内側部に取り付けられた第１部材１６ａと他方(図１においては右側)のカップ１２の内側部に取り付けられた第２部材１６ｂとを有する。この第１部材１６ａおよび第２部材１６ｂは、相互に係合することによって左右の各カップ１２の内側面同士を一体的に連結できるものであれば如何なる態様であってもよく、例えば通常の(すなわちストラップやバックを有する)ブラジャーに用いられているフロントホックや面ファスナーなどがこれに該当する。
【００１９】
ワイヤー１８は、カップ１２の形態を保持すると共に、カップ１２に収容した乳房に対してその下側から補整力を与えるためのもので、カップ１２の下側湾曲縁１２ｂの形状に近似する円弧状に形成された弾性回復力の高い線材である。このワイヤー１８を構成する素材は特に限定されるものではないが、ピアノ線などのスチール、Ｎｉ−Ｔｉ合金、形状記憶合金、ステンレス、アモルファス合金と云った金属材料や、合成樹脂或いは繊維強化プラスチック(ＦＲＰ)などが単独で或いは複合して用いられている。ここで、ワイヤー１８に用いる合成樹脂材料としては、例えば、エポキシ樹脂、不飽和ポリエステル樹脂、フェノール樹脂、メラミン樹脂、ポリアセタール、ポリアミド、ポリウレタン、ポリ塩化ビニル、ポリスチレン、ＡＢＳ樹脂、メタクリル酸エステル樹脂、ポリエステル、ポリエチレン、ポリプロピレン、ポリカーボネート等を挙げることができる。また、ワイヤー１８に用いる繊維強化プラスチックとしては、炭素繊維、ガラス繊維、アラミド繊維などを補強材としたエポキシ樹脂、不飽和ポリエステル樹脂などを挙げることができる。
【００２０】
図２に示す例では、このワイヤー１８が、ポリエステル繊維やポリアミド繊維などの熱可塑性繊維で形成されたバイアステープなどの生地からなる袋状物２６に封入されている。このような袋状物２６にワイヤー１８を封入することによって、特にワイヤー１８が金属製の場合には、乳房下部へのワイヤー１８の当たりを柔らかくすることができると共に、後述するように基材２０等と重ね合わせて金型で熱圧する際に、袋状物２６の表面が若干熱溶融(或いは軟化)して基材２０の表面に接着するようになり、カップ１２内のワイヤー１８が簡単に移動しないよう固定させることができる。
【００２１】
なお、図２では、ワイヤー１８がフィルム２４よりも外表面(表面)側に積層された基材２０ｂと基材２０ｃとの間に配設されている場合を示しているが、ワイヤー１８の配設位置は、カップ１２の下側湾曲縁１２ｂ側の内部奥にてワイヤー１８の形状が当該下側湾曲縁１２ｂに沿うように配設されているものであれば如何なる態様であってもよく、上記位置に限定されるものではない。
【００２２】
以上のように構成されたブラジャー１０を製造する際には、まず始めに、表裏方向にて積層する複数の基材２０ａ，２０ｂ…、布帛２２及びフィルム２４を各々所定の大きさ及び形状に裁断し、これらを(外表面となる)布帛２２、外表面(表面)側の基材２０ｆ〜２０ｂ、フィルム２４、内表面(裏面)側の基材２０a及び(内表面となる)布帛２２の順に積層すると共に、表面側に積層された基材２０ｂと基材２０ｃとの間であって、カップ１２が形成された際にその下側湾曲縁１２ｂに沿う位置にワイヤー１８を配設した後、図示しない金型にセットして熱圧する。するとカップ１２の外表面になる布帛２２と内表面になる布帛２２とが出会う個所、すなわちカップ１２の周縁にて両者が熱溶融することによって基材２０及びフィルム２４の周縁共々熱圧にて一体化され、所定形状のカップ１２が形成される。
【００２３】
なお、カップ１２の下側湾曲縁１２ｂの内部に配設したワイヤー１８は、カップ１２の内部で簡単に移動しないよう所定の位置に固定させる必要がある。このため上述したようにワイヤー１８を熱可塑性繊維の生地からなる袋状物２６に封入する事のほかに、ワイヤー１８を、接着剤などの接着手段を用いて固定したり、基材２０に縫着したりするようにしてもよい。また、基材２０や布帛２２やフィルム２４等を積層して金型で熱圧する際に、カップ１２構成する各部材の層間にポリエチレンなどの低融点熱可塑性樹脂からなるホットメルトなどの接着材を介装するようにしてもよい。
【００２４】
続いて、カップ１２の内側部１２ａの先端に連結部材１６の第１部材１６ａまたは第２部材１６ｂのいずれか一方を縫着し、カップ１２内表面における粘着材層１４を設けない所定部分をマスキングテープなどでマスキングする。
【００２５】
然る後、スプレー法，刷毛塗り法，スクリーン印刷法などの公知の塗布方法を用いてカップ１２の内表面に感圧性シリコーン粘着剤などの粘着材を塗布し、カップ１２の内表面に接着材層１４を形成する。そして、マスキングした部分の粘着材を除去することによって、本実施例のブラジャー１０が完成する。なお、粘着材の塗布にスクリーン印刷法を用いた場合には、上述のマスキング工程は不要である。
【００２６】
ここで、本実施例のブラジャー１０は、内表面側の基材２０ａと基材２０ｂとの間にフィルム２４が介装されているので、基材２０が連続気泡型のものであっても、接着材を塗布して接着材層１４を形成する際、当該接着材がカップ１２を構成する基材２０の内部深くに浸透するのを抑えることができ、カップ１２の内表面に十分な厚みの接着材層１４を形成することができる。
【００２７】
次に、本実施例のブラジャー１０を装着する際には、まず、左右の乳房それぞれの所定位置にカップ１２を貼着する。そして乳房に貼着した左右一対のカップ１２を体の中心に向けて引寄せ、各カップ１２の内側部に取り付けられた第１部材１６ａおよび第２部材１６ｂ(すなわち連結部材１６)を係合して両カップ１２を連結する。これにより、ブラジャー１０の装着が完了し、バストには乳房間溝や高いバストラインが自然なシルエットで形成される。
【００２８】
このように本実施例のブラジャー１０では、ストラップおよびバックを省略できるので、背中が大きく開いた服を着る際にも着用することができる。しかも、カップ１２が軽量な樹脂発泡材料を主体として構成されているので、装着感が極めて良好なものとなる。
【００２９】
また、カップ１２の下側湾曲縁１２ｂ側の内部奥に、円弧状のワイヤー１８が固着されているので、樹脂発泡材料からなり軽量でクッション性や柔軟性が高いカップ１２自体の形態保持力を向上させる事ができると共に、ブラジャー１０装着によるバストの補整効果をより一層向上させることができ、自然なシルエットで形成した乳房間溝や高いバストラインを長時間維持することができるようになる。とりわけ、本発明のブラジャー１０では、ワイヤー１８がカップ１２の下側湾曲縁１２ｂ側の内部奥に固着されているので、ブラジャー１０を装着した際に、ワイヤー１８がバージスラインよりも乳房側の乳房下側面に配置されて乳房の下部を直接支持するようになる結果、ワイヤー１８による乳房の補整力を乳房にダイレクトに作用させることができ、上述したようにブラジャー１０装着によるバストの補整効果をより一層向上させることができる。
【符号の説明】
【００３０】
１０…ブラジャー
１２…カップ
１２ａ…(カップの)内側部
１２ｂ…(カップの)下側湾曲縁
１４…粘着材層
１６…連結部材
１６ａ…第１部材
１６ｂ…第２部材
１８…ワイヤー
２０…基材
２２…布帛
２４…フィルム
２６…袋状物
【図１】
2011157669.tif 000003
【図２】
2011157669.tif 000004